(57)【要約】【課題】利用者の背の高さに応じて、情報記憶媒体の円滑なかざし動作を実現することができる汎用性の高いリーダライタ及びそれを備えた自動販売機を提供することを目的とする。【解決手段】この目的を達成するため、本件発明の情報記憶媒体用リーダライタは、上位機器の外面に設けられ、無接触で情報記憶媒体に記憶された電子マネー情報の読み込み及び書き込みを行うものであって、垂直方向に延在する背面に対して所定角度で傾斜する前面に、電子マネー情報に関する表示を行う表示部と、内部に設けられた通信部との間で非接触で通信可能な領域を示す情報記憶媒体かざし面とを配置し、前記表示部の表示を上下反転設定する制御部を備えた。【選択図】図５
2017117337.tif 000002
【特許請求の範囲】
【請求項１】
上位機器の外面に設けられ、無接触で情報記憶媒体に記憶された電子マネー情報の読み込み及び書き込みを行う情報記憶媒体用リーダライタであって、
垂直方向に延在する背面に対して所定角度で傾斜する前面に、電子マネー情報に関する表示を行う表示部と、内部に設けられた通信部との間で非接触で通信可能な領域を示す情報記憶媒体かざし面とを配置し、
前記表示部の表示を上下反転設定する制御部を備えたことを特徴とする情報記憶媒体用リーダライタ。
【請求項２】
前記表示部の姿勢を検出する姿勢検出センサを備え、前記制御部は、当該姿勢検出センサの出力に基づき、重力方向を下として前記表示部の表示を設定する請求項１に記載の情報記憶媒体用リーダライタ。
【請求項３】
前記表示部が、蛍光表示管、又は、液晶ディスプレイである請求項１又は請求項２に記載の情報記憶媒体用リーダライタ。
【請求項４】
前記表示部が、タッチパネルを用いて表示及び入力を行うタッチパネル画面である請求項１又は請求項２に記載の情報記憶媒体用リーダライタ。
【請求項５】
前記情報記憶媒体用かざし面を表示するかざし領域を前面の中央に配置し、当該かざし領域の上側又は下側に入力操作を行う入力領域を配置する請求項４に記載の情報記憶媒体用リーダライタ。
【請求項６】
請求項１〜請求項５のいずれか一項に記載の情報記憶媒体用リーダライタを本体の前面に配置したことを特徴とする自動販売機。
【発明の詳細な説明】
【技術分野】
【０００１】
本発明は、電子マネー情報が記憶された情報記憶媒体との間で通信を行う情報記憶媒体用リーダライタ、及び、それを備えた自動販売機に関する。
【背景技術】
【０００２】
従来より、例えば店舗や、自動販売機などでは、ＩＣカード、特に、非接触型のＩＣカード等の情報記憶媒体に記憶された電子マネーを用いた決済方法が普及している。情報記憶媒体に記憶された電子マネー情報は、自動販売機等に設けられたリーダライタによって、読み込みや、書き込みが行われる。
【０００３】
従来の自動販売機に搭載されるリーダライタ機能付き紙幣処理装置として、例えば、特許文献１がある。この特許文献１には、「非接触でＩＣカードと通信を行う通信手段を具え、かつ該通信手段を介し前記ＩＣカードに対し情報の記録再生処理を行うカードリーダライタ手段を、紙幣を投入するフロントマスク内に配設し、該フロントマスクにかざされたＩＣカードに対し情報の記録再生処理を行うようにしたＩＣカードリーダライタ機能付き紙幣処理装置において、前記フロントマスクの正面に前記ＩＣカードに対する情報の記録再生処理の状態を表示する表示手段を配設するとともに、前記ＩＣカードを位置決め配置するＩＣカード位置決め手段を形成するようにしたことを特徴とする」ことが開示されている。
【０００４】
この特許文献１には、通信手段が、前記フロントマスクの正面に対し傾斜して配設されており、位置決め手段は、フロントマスク正面に形成された凹部からなり、該凹部の底面は、通信手段に平行になるように、フロントマスクの正面に対し所定角度傾斜して形成されることが開示されている。これにより、利用者がＩＣカード位置決め手段にＩＣカードをかざすと、当該ＩＣカードを通信手段と対向する位置に可及的に位置決めすることが可能となり、ＩＣカードに対する情報の確実な記録再生処理の実現を図っている。
【先行技術文献】
【特許文献】
【０００５】
【特許文献１】特開２００３−１４１４６７号公報
【発明の概要】
【発明が解決しようとする課題】
【０００６】
一方で、従来の自動販売機に取り付けられる当該リーダライタは、大人が立った状態でＩＣカードをかざしやすい高さに配置されていることが多い。ゆえに、背の低い子供や車いすの利用者などがＩＣカードをかざすことが可能な範囲にＩＣカードの読み取り部分が設定されていたとしても、特許文献１に示すように、当該位置決め手段が斜め上方に向けて傾斜して配設されている場合、当該位置決め手段の視認性が悪い。よって、カードのかざし位置を容易に認識することが困難となり、利便性が悪いという問題がある。
【０００７】
そこで、当該カードのかざし位置や、商品選択ボタン、紙幣挿入口、硬貨投入口等のレイアウトを背の低い子供や車いすの利用者に対応させた配置とした自動販売機も実用化されている。しかし、この場合であっても、特許文献１に示すように、ＩＣカードを読み取る位置決め手段が斜め上方に向けて傾斜して配設されていると、配置される高さによっては、カードのかざし位置の視認性が依然として改善されない場合がある。
【０００８】
よって、市場からは、背の低い子供や車いすの利用者等が、ＩＣカード等の電子マネー情報を記憶した情報記憶媒体をリーダライタの通信部の通信可能領域に好適に配置することが容易となる情報記憶媒体用リーダライタ及びそれを備えた自動販売機の開発が要望されていた。
【課題を解決するための手段】
【０００９】
そこで、本件発明者等は、鋭意研究の結果、利用者の背の高さに応じて、情報記憶媒体の円滑なかざし動作を実現することができる汎用性の高いリーダライタ及びそれを備えた自動販売機を提供することに至った。
【００１０】
すなわち、本発明に係る情報記憶媒体用リーダライタは、上位機器の外面に設けられ、無接触で情報記憶媒体に記憶された電子マネー情報の読み込み及び書き込みを行うものであって、垂直方向に延在する背面に対して所定角度で傾斜する前面に、電子マネー情報に関する表示を行う表示部と、内部に設けられた通信部との間で非接触で通信可能な領域を示す情報記憶媒体かざし面とを配置し、前記表示部の表示を上下反転設定する制御部を備えたことを特徴とする。
【００１１】
本発明に係る情報記憶媒体用リーダライタは、更に、前記表示部の姿勢を検出する姿勢検出センサを備え、前記制御部が、当該姿勢検出センサの出力に基づき、重力方向を下として前記表示部の表示を設定することが好ましい。
【００１２】
また、本発明に係る情報記憶媒体用リーダライタは、前記表示部が、蛍光表示管、又は、液晶ディスプレイであることが好ましい。
【００１３】
また、本発明に係る情報記憶媒体用リーダライタは、前記表示部が、タッチパネルを用いて表示及び入力を行うタッチパネル画面であることも好ましい。
【００１４】
この場合において、前記情報記憶媒体用かざし面を表示するかざし領域を前面の中央に配置し、当該かざし領域の上側又は下側に入力操作を行う入力領域を配置することがより好ましい。
【００１５】
本発明に係る自動販売機は、上述の情報記憶媒体用リーダライタを本体の前面に配置したことを特徴とする。
【発明の効果】
【００１６】
本発明に係る情報記憶媒体用リーダライタによれば、垂直方向に延在する背面に対して所定角度で傾斜する前面に、電子マネー情報に関する表示を行う表示部と、内部に設けられた通信部との間で非接触で通信可能な領域を示す情報記憶媒体かざし面とを配置し、制御部によって、表示部の表示を上下反転設定することができるため、自動販売機等の上位機器の外面の設置高さに応じて、前面が傾斜したリーダライタを上下任意の姿勢で設置しても表示部に正しい表示を行うことが可能となる。
【００１７】
よって、前面が斜め上方に傾斜した状態でリーダライタを自動販売機等に配置した場合には、立った状態の背の高い大人等が情報記憶媒体かざし面を容易に認識することができ、カード等の情報記憶媒体を適切に情報記憶媒体かざし面に配置して円滑な電子マネー情報の読み込み及び書き込みを行うことが可能となる。また、前面が斜め下方に傾斜した状態でリーダライタを自動販売機等に配置した場合には、背の低い子供や車いすの利用者等が情報記憶媒体かざし面を容易に認識することができ、カード等の情報記憶媒体を適切に情報記憶媒体かざし面に配置して円滑な電子マネー情報の読み込み及び書き込みを行うことが可能となる。従って、１台のリーダライタの上下方向を逆転させて設置することで、環境に対応した態様を実現することが可能となる。
【図面の簡単な説明】
【００１８】
【図１】本発明の情報記憶媒体用リーダライタを備えた一実施の形態としての自動販売機の概略正面図である。
【図２】図１の自動販売機の概略縦断側面図である。
【図３】本実施の形態としてのリーダライタの操作パネル部（第１の態様）の正面図である。
【図４】図３のリーダライタの上位機器への取付状態（第１の態様）を示す断面図である。
【図５】図３のリーダライタの操作パネル部（第２の態様）の正面図である。
【図６】図３のリーダライタの上位機器への取付状態（第２の態様）を示す断面図である。
【図７】図３のリーダライタを含む自動販売機の制御ブロック図である。
【図８】他の実施の形態としてのリーダライタの操作パネル部（第１の態様）の正面図である。
【図９】図８のリーダライタの上位機器への取付状態（第１の態様）を示す断面図である。
【図１０】図８のリーダライタの操作パネル部（第２の態様）の正面図である。
【図１１】図８のリーダライタの上位機器への取付状態（第２の態様）を示す断面図である。
【発明を実施するための形態】
【００１９】
以下、本発明に係る実施の形態としての情報記憶媒体用リーダライタ（以下、「リーダライタ」と称する。）を適用した自動販売機について図面を参照して説明する。図１は本実施の形態に係る自動販売機１の正面図、図２は図１の自動販売機１の縦断側面図をそれぞれ示している。本実施の形態に係る自動販売機１は、前面が開口した断熱性の本体１０と、当該本体１０の一側に対して回動自在に枢支され当該本体１０の前面開口を開閉自在に閉塞する外扉１１とを備える。当該外扉１１の後方には、前面に断熱性の内扉１２を備え、内部に商品Ｓを複数保管するための複数列の商品収納コラム１３が配設された商品収納庫１４が本体１０内に設けられている。当該商品収納コラム１３には、所定の商品搬出制御に応じて、外扉１１に設けられた商品取出口１５から商品Ｓを搬出する商品搬出装置１６が設けられている。また、当該商品収納庫１４内には、商品収納コラム１３に収容された各商品Ｓを所定の温度に維持するための周知の冷却装置１７や加熱ヒータ１８が配設されている。
【００２０】
そして、この自動販売機１の外扉１１の上部には、複数の商品サンプル１９が陳列される商品サンプル室２０が構成されている。この商品サンプル室２０の前面には、各商品サンプル１９の下方に、当該商品サンプル１９に対応する選択ボタン１９Ａ・・が設けられている。当該選択ボタン１９Ａは、商品サンプル室２０に設けられるものに限られず、本実施の形態では、背の低い子供や、車いす利用者等を考慮し、自動販売機１の中央よりも下部に別途、商品選択用入力部４７を設けている。当該商品選択用入力部４７としては、商品サンプル室２０内に陳列された商品を任意に選択可能なものであればよい。例えば、商品選択用入力部４７をテンキーと表示部、決定ボタンやキャンセルボタンなどにより構成し、商品サンプル室２０に陳列された商品サンプル１９毎に付された番号をテンキーにより入力し、決定ボタンを操作することにより、商品選択可能としても良い。
【００２１】
さらに、この外扉１１には、商品の決済処理に必要となる各種機器が配設されている。具体的には、紙幣処理装置２１と、硬貨処理装置２３と、金額表示器２７と、本件発明に係るリーダライタ３０とが配設されている。
【００２２】
紙幣処理装置２１は、外扉１１の前面１１Ａに配設された紙幣挿入口２２を備え、当該紙幣挿入口２２から挿入された紙幣の金種を識別し、図示しない紙幣収容部に収容する。硬貨処理装置２３は、外扉１１の前面１１Ａに配設された硬貨投入口２４と、返却レバー２５と、硬貨返却口２６とを備え、硬貨投入口２５から投入された硬貨の金種を識別し、図示しない硬貨収容部に金種毎に収容する。そして、当該硬貨処理装置２３は、返却レバー２５の操作等に基づいて、投入された硬貨や釣り銭を硬貨返却口２６に返却する。金額表示器２７は、外扉１１の前面から視認可能とされた表示部２７Ａを備え、紙幣や硬貨等の投入金額や、リーダライタ３０によって読み出された情報記憶媒体の利用可能金額、販売状況等の各種情報を表示する。
【００２３】
次に、本件発明に係るリーダライタ３０について図面を参照して説明する。図３はリーダライタ３０の操作パネル部３１（第１の態様）の正面図、図４はリーダライタ３０の上位機器への取付状態（第１の態様）を示す断面図、図５はリーダライタ３０の操作パネル部３１（第２の態様）の正面図、図６はリーダライタ３０の上位機器への取付状態（第２の態様）を示す断面図をそれぞれ示している。
【００２４】
本件発明に係るリーダライタは、上位機器の外面に設けられ、電子マネー残高等の電子マネー情報が記憶された情報記憶媒体２との間で無線通信を行い、非接触で当該情報記憶媒体２に記憶された電子マネー情報の読み出しと、書き込みを行うものである。情報記憶媒体２としては、非接触ＩＣカードや非接触ＩＣ通信機能を搭載した携帯端末等を用いることができる。
【００２５】
本実施の形態に係るリーダライタ３０は、当該上位機器の外面に設けられる操作パネル部３１と、当該上位機器の内部に設けられる制御ユニット部３２とを備える。本実施の形態のように上位機器が自動販売機１である場合には、リーダライタ３０を構成する操作パネル部３１は、自動販売機１の外扉１１の前面１１Ａに配設される。そして、当該操作パネル部３１と共にリーダライタ３０を構成する制御ユニット部３２は、外扉１１の背面１１Ｂに配設されて、当該外扉１１が閉鎖された状態で当該制御ユニット部３２は、自動販売機１内部に位置する。なお、本件発明に係るリーダライタは、操作パネル部３１と制御ユニット部３２が別体に構成されているものに限定されるものではなく、操作パネル部３１内に制御部４２を収容し、上位機器の外面に設けたものを採用しても良い。
【００２６】
本実施の形態に係るリーダライタ３０の操作パネル部３１は、図３及び図４に示すように、筐体により構成されており、当該操作パネル部３１の背面３１Ｂは、垂直方向に延在して構成されている。そして、当該操作パネル部３１の前面３１Ａは、当該背面３１Ｂに対して所定角度で傾斜して形成されており、当該前面３１Ａには、表示部３３と、選択ボタン３４と、情報記憶媒体かざし面（以下、「かざし面」と称する。）３５が配置されている。
【００２７】
当該操作パネル部３１は、設置態様によって、上下反転させて設置可能とされるものである。第１の態様は、図３や図４に示すように、当該前面３１Ａは、上端から下端にわたって徐々に前方に延出する傾斜面とされ、当該傾斜面は斜め上向きとされる。第２の態様は、第１の態様の操作パネル部３１を上下反転させたものであって、図５や図６に示すように、当該前面３１Ａは、上端から下端にわたって徐々に後退する傾斜面とされ、当該傾斜面は斜め下向きとされる。第１の態様は、主に大人等の目線の高い消費者に対応した取付態様であり、第２の態様は、主に背の低い子供や車いす利用者などの目線の低い消費者に対応した取付態様である。当該取付態様は、当該リーダライタ３０が設けられる自動販売機１の設置状況に応じて変更可能とされる。
【００２８】
当該前面３１Ａに配設される表示部３３は、情報記憶媒体２に記憶された電子マネー情報としての電子マネー残高や操作案内等の文字情報や絵を含む画像を表示する。当該表示部３３は、例えば、汎用性の高い蛍光表示管（ＶＦＤ）や液晶ディスプレイ等の、文字、又は、文字及び絵等を含む画像を表示可能とする表示手段や、タッチパネルを用いて表示及び入力を行うタッチパネル画面等を採用することができる。当該表示部３３は、後述する制御部４２により、表示する文字や、表示する画像を上下に任意に反転させて設定することができる。
【００２９】
選択ボタン３４は、表示部３３に表示された情報、例えば、利用可能な複数の電子マネーサービスの中から利用する電子マネーサービスの種類を選択操作可能とする操作部である。かざし面３５は、非接触ＩＣカード等の情報記憶媒体２の形状に合わせて形成されたものであり、消費者に情報記憶媒体２のかざし位置を認識させる表示とされている。
【００３０】
そして、本実施の形態におけるこの操作パネル部３１の内部には、アンテナ３６と、ＲＦ回路３７が収容されている。アンテナ３６は、情報記憶媒体２との間で非接触で信号を送受信するためのアンテナであり、平板状に構成されて操作パネル部３１の前面３１Ａに設けられたかざし面３５の裏面に対向するように配置されることが好ましい。当該アンテナ３６としては、コイル状のアンテナを用いることができ、非接触ＩＣカード等の情報記憶媒体２との間で所定の周波数、例えば、１３．５６ＭＨｚの周波数帯の電波を用いて通信可能とされるアンテナを用いることが好ましい。ＲＦ回路３７は、アンテナ３６を介して、かざし面３５から所定の通信可能範囲（例えば、半径１０ｃｍ）以内に配置された情報記憶媒体２との間で非接触通信を行うものであり、周知のＡＤ／ＤＡ変換器や整流回路等を備えている。
【００３１】
また、本実施の形態において、この操作パネル部３１内には、当該操作パネル部３１、具体的には、表示部３３の姿勢を検出する姿勢検出センサ３８を備えていることが好ましい。当該姿勢検出センサ３８は、例えば、加速度センサなどにより構成することができ、重力方向を検出することによって、現在の操作パネル部３１の姿勢が、上述した第１の態様であるか第２の態様であるかを検出する。
【００３２】
一方、制御ユニット部３２は、図４や図６に示すように、筐体により構成されており、内部に制御部４２を収容している。制御部４２は、アンテナ３６を介して通信可能範囲に配置された情報記憶媒体２の電子マネー情報の読み込み及び書き込みに関する制御、表示部３３の表示に関する制御、その他、リーダライタ３０全体を制御するものである。当該制御部４２は、汎用のマイクロコンピュータにより構成されており、内部に記憶部４３としてＲＡＭやＲＯＭ等のメモリを備えている。当該制御ユニット部３２内に配設された制御部４２と、上述した操作パネル部３１内に配設されたＲＦ回路３７とは、通信線４４によって接続されている。また、当該制御部４２には、上述した操作パネル部３１内に配設された姿勢検出センサ３８と、通信線４６によって接続されていることが好ましい。これら操作パネル部３１及び制御ユニット部３２から引き出された通信線４４、４６は、図４や図６に示すように、外扉１１に形成された貫通孔１１Ｃを介して配線接続されることが好ましい。
【００３３】
次に、図７の制御ブロックを参照して、本実施の形態に係る自動販売機１全体の制御構成について説明する。自動販売機側制御装置（以下、主制御装置と称する。）５０は、主に、自動販売機１全体を制御するためのものである。当該主制御装置５０は、汎用のマイクロコンピュータにより構成されており、内部に記憶部５１としてＲＡＭやＲＯＭ等のメモリと、時限手段としてのタイマ５２等を備えている。具体的に、主制御装置５０は、自動販売機１に設けられた商品搬出装置１６、冷却装置１７、加熱ヒータ１８、紙幣処理装置２１、硬貨処理装置２３、金額表示器２７等が接続されている。また、この主制御装置５０は、上述したリーダライタ３０の制御部４２が接続され、主制御装置５０と制御部４２との間でデータの送受信が行われる。
【００３４】
以上の構成により、主制御装置５０は、冷却装置１７や加熱ヒータ１８により、商品収納庫１４内に収容された商品を所定の温度に維持制御する。そして、主制御装置５０は、紙幣処理装置２１や、硬貨処理装置２３や、リーダライタ３０（制御部４２）からの入力、及び、選択ボタン１９Ａの操作に基づいて商品搬送装置１６を作動させ、商品搬出を行うと共に、決済処理を行う。
【００３５】
次に、リーダライタ３０の表示部３３の表示に関する制御について述べる。制御部４２は、操作パネル部３１内に配設された姿勢検出センサ３８の検出に基づき、重力方向を下として表示部３３の表示を行う。例えば、自動販売機１の待機状態では、表示部３３に例えば現在選択されている電子マネーサービスの名称等を表示し、決済処理時においては、決済処理後の電子マネー残高情報等を表示する。なお、表示部３３に表示する内容は、これらに限定されるものではなく、その他の電子マネー情報や商品に関する情報を表示しても良い。
【００３６】
よって、主に立った状態の大人等の目線の高い消費者に対応した取付態様である第１の態様でリーダライタ３０の操作パネル部３１を設置した場合では、前面３１Ａの傾斜面が斜め上向きの状態で、表示部３３には、重力方向が下となる表示が行われることとなる。従って、当該第１の態様では、立った状態の目線の高い消費者が斜め上向きの状態で配置されたかざし面３５を容易に認識することができ、表示部３３の表記を適切に認識して、非接触ＩＣカード等の情報記憶媒体２を適切にかざし面３５に配置して、アンテナ３６を介した円滑な電子マネー情報の読み込み及び書き込みを行うことが可能となる。
【００３７】
また、主に背の低い子供や車いす利用者などの目線の低い消費者に対応した取付態様である第２の態様でリーダライタ３０の操作パネル部３１を設置した場合では、前面３１Ａの傾斜面が斜め下向きの状態で、表示部３３に重力方向が下となる表示が行われることになる。従って、当該第２の態様では、目線の低い消費者が斜め下向きの状態で配置されたかざし面３５を容易に認識することができ、表示部３３の表記を適切に認識して、非接触ＩＣカード等の情報記憶媒体２をかざし面３５に配置して、アンテナ３６を介した円滑な電子マネー情報の読み込み及び書き込みを行うことが可能となる。特に、この場合、リーダライタ３０の操作パネル部３１を第１の態様から上下反転させて第２の態様に変更することで、かざし面３５を目線の高い消費者に対応した取付態様から、目線の低い消費者に対応した取付態様に変更することができると共に、それぞれの取付態様に応じた適切な表示を行うことが可能となる。従って、本発明を適用した本実施の形態のリーダライタ３０は、自動販売機等の上位機器の外面の設置高さに応じて、前面が傾斜した操作パネル部３１を上下任意の姿勢で設置しても表示部３３に正しい表示を行うことが可能となり、１台のリーダライタによって、それぞれの環境に対応した態様を支障なく実現することが可能となる。
【００３８】
特に、本実施の形態では、操作パネル部３１内に姿勢検出センサ３８が設けられているため、格別に入力手段によって設置姿勢を入力することなく、重力方向が下となるように表示部３３に文字等を表示することが可能となる。よって、設定作業を簡素化することが可能となる。ただし、本件発明は、姿勢検出センサ３８を備えたものに限定されるものではなく、例えば、操作パネル部３１の前面３１Ａに設けられた選択ボタン３４等を長押しするなどにより、姿勢設定モードに変更することによって、任意に第１の態様に応じた表示部３３の表示又は、第２の態様に応じた表示部３３の表示を設定可能としても良い。
【００３９】
次に、本件発明の他の実施の形態としてのリーダライタ６０について図面を参照して説明する。図８はリーダライタ６０の操作パネル部６１（第１の態様）の正面図、図９はリーダライタ３０の上位機器への取付状態（第１の態様）を示す断面図、図１０はリーダライタ６０の操作パネル部６１（第２の態様）の正面図、図１１はリーダライタ３０の上位機器への取付状態（第２の態様）を示す断面図をそれぞれ示している。この実施の形態におけるリーダライタ６０は、上述したリーダライタ３０とは、操作パネル部の前面の構成のみが異なるものであり、その他の構成は同様とする。よって、ここでは、リーダライタ６０の操作パネル部６１の前面６１Ａの構成についてのみ述べ、図３〜図６と同様の符号が付されているものについての説明は省略する。
【００４０】
この実施の形態に係るリーダライタ６０を構成する操作パネル部６１は、図８及び図９に示すように、筐体により構成されており、当該操作パネル部６１の背面６１Ｂは、垂直方向に延在して構成されている。そして、当該操作パネル部６１の前面６１Ａは、当該背面６１Ｂに対して所定角度で傾斜して形成されている。当該操作パネル部６１は、上述した操作パネル部３１と同様に、設置態様によって、上下反転させて設置可能とされるものである。図８及び図９には、上述した第１の態様を示しており、図１０及び図１１には、上述した第２の態様を示している。
【００４１】
当該操作パネル部６１の前面６１Ａには、本件発明における表示部としてのタッチパネル画面６３が配設されている。当該タッチパネル画面６３は、タッチパネルを用いて表示及び入力を行うものである。当該タッチパネル画面６３は、かざし領域６５と、表示領域６６と、入力領域６４とを備えている。かざし領域６５は、情報記憶媒体２のかざし面を表示する領域であり、非接触ＩＣカード等の情報記憶媒体２の形状に合わせた表示を行うことにより、消費者に情報記憶媒体２のかざし位置を認識させることが好ましい。表示領域６６は、情報記憶媒体２に記憶された電子マネー情報としての電子マネー残高や操作案内等の文字情報や絵を含む画像を表示する領域である。入力領域６４は、表示領域６６に表示された情報、例えば、利用可能な複数の電子マネーサービスの中から利用する電子マネーサービスの種類を選択操作可能とする入力部である。
【００４２】
当該タッチパネル画面６３は、制御部４２により、表示する文字や、表示する画像を上下に任意に反転させて設定することができると共に、各領域のレイアウトを任意に変更することができる。よって、操作パネル部６１に配置される表示部としてタッチパネル画面を採用することにより、位置が固定されたスイッチ等を設ける必要がなくなり、表示及び入力を行う領域を自由にレイアウトすることが可能となる。よって、取付状態に応じた自由度の高い表示を実現することができ、利便性の向上を図ることができる。
【００４３】
この実施の形態におけるタッチパネル画面６３には、情報記憶媒体２のかざし領域６５を前面３１Ａの中央に配置することが好ましい。上述した操作パネル部３１と同様に、操作パネル部６１の内部には、アンテナ３６が操作パネル部６１の前面６１Ａに設けられたかざし領域６５の裏面に対向するように配置されている。よって、当該操作パネル部６１を上下反転させて取り付けた場合であっても、かざし領域６５は、中央に配置されることになるため、アンテナ３６の取付位置を変更する必要がない。
【００４４】
この際、入力領域６４と表示領域６６の配置については、かざし領域６５の上側又は下側に配置されていればよく、特に制限はない。例えば、図８や図１０に示すように、第１の態様及び第２の態様にかかわらず、かざし領域６５の上側に表示領域６６、かざし領域６５の下側に入力領域６４をレイアウトしても良い。これによって、第１の態様と第２の態様とで違和感なくタッチパネル画面６３の表示を行うことができる。よって、タッチパネル画面６３自体のレイアウトの自由度が高まり、より一層、操作性の高い表示を実現することが可能となる。
【００４５】
なお、当該リーダライタ６０の表示部としてのタッチパネル画面６３の表示に関する制御は、上述したリーダライタ３０の表示部３３の表示に関する制御と同様であるため、ここでは説明を省略する。
【００４６】
上述した各実施の形態では、本件発明に係るリーダライタを自動販売機１に取り付けた場合について説明しているが、本件発明に係るリーダライタは、これに限定されるものではなく、自動販売機以外の上位機器に取り付けて用いてもよい。
【産業上の利用可能性】
【００４７】
本発明にかかる情報記憶媒体用リーダライタは、例えば、自動販売機等の上位機器に取り付けられた場合に、特に有効に用いることができる。
【符号の説明】
【００４８】
Ｓ    商品
１    自動販売機（上位機器）
２    情報記憶媒体（非接触ＩＣカード、非接触ＩＣ通信機能を搭載した携帯端末）
１０    本体
１１    外扉
１１Ａ  前面
１５    商品取出口
１９Ａ  選択ボタン
２１    紙幣処理装置
２２    紙幣挿入口
２３    硬貨処理装置
２４    硬貨投入口
２５    返却レバー
２６    硬貨返却口
２７    金額表示器
２７Ａ  表示部
３０、６０  リーダライタ（情報記憶媒体用リーダライタ）
３１、６１  操作パネル部
３１Ａ、６１Ａ  前面
３１Ｂ、６１Ｂ  背面
３２    制御ユニット部
３３    表示部
３４    選択ボタン
３５    かざし面
３６    情報記憶媒体用アンテナ
３７    ＲＦ回路
３８    姿勢検出センサ（加速度センサ）
４２    制御部
４３    記憶部
４７    商品選択用入力部
５０    主制御装置（自動販売機側制御装置）
６３    タッチパネル画面（表示部）
６４    入力領域
６５    かざし領域（かざし面）
６６    表示領域
【図１】
2017117337.tif 000003
【図２】
2017117337.tif 000004
【図３】
2017117337.tif 000005
【図４】
2017117337.tif 000006
【図５】
2017117337.tif 000007
【図６】
2017117337.tif 000008
【図７】
2017117337.tif 000009
【図８】
2017117337.tif 000010
【図９】
2017117337.tif 000011
【図１０】
2017117337.tif 000012
【図１１】
2017117337.tif 000013